(57)【特許請求の範囲】
【請求項１】
遊技に関する制御を行う制御基板と、
該制御基板を内部に収容する基板ユニットとを備えた遊技機において、
該基板ユニットは、
当該基板ユニットを封止する封止部材と、
弾性を有し、有色の流体を収容する流体収容部材とを備え、
前記流体が当該流体収容部材の外部に流出した場合に前記流体収容部材が変形することで前記封止部材による前記基板ユニットの封止状態が解除される
ことを特徴とする遊技機。
【請求項２】
請求項１に記載の遊技機において、
前記基板ユニットは、第１部材と第２部材との内側に前記制御基板を収容するものであり、
前記基板ユニットの第１部材は、前記流体収容部材を収容する第１領域と、前記封止部材を収容する第２領域とを有し、
前記封止部材は、前記第２部材を係止する係止爪を備え、
前記流体収容部材は、弾性を有し、前記第１領域に収容されている状態において前記第２領域に収容されている前記封止部材をその係止爪の突出方向に付勢するものであり、
前記基板ユニットには、前記第１領域と当該第１領域の外側とを連通させる穴が設けられていることを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機は、例えば、当該パチンコ機の外殻を形成し遊技場（ホール）の遊技島に固定される外枠と、この外枠の正面視での左端側を開閉軸として外枠に対して開閉可能に支持される内枠と、この内枠の略中央に形成された開口に遊技領域が位置するように取り付けられる遊技盤と、この内枠の正面視での左端側を開閉軸として内枠に対して開閉可能に支持され、遊技領域を視認するための視認窓を有する前面扉とを備えている。
【０００３】
また、パチンコ機は、例えば、その裏面側に、遊技を制御する制御基板を備えている。具体的には、制御基板は、例えば、透明な基板ユニット（例えば基板ケース）に収容されている。また、この基板ケースには、このケースを封止するための封止部材（例えば封止機構）を備えている。この封止機構は所定箇所を破壊しない限り開封できない構造となっており、複数回の開封を許容するべくこの封止機構を複数個有しており、その複数個の封止機構を個別に使用することにより、開封した回数を判別できるようになっている。つまり、封止機構の破壊数が基板ケースの開封回数であり、その開封回数に基づいて不正開封の有無が確認でき、全ての封止機構を破壊するまで基板ケースを利用することができることから、不正開封防止と基板ケースの有効利用とが図られている（例えば、特許文献１参照）。
【特許文献１】特開２００５−７４２１７号公報（第１２−１４頁，第７−１１図）
【発明の開示】
【発明が解決しようとする課題】
【０００４】
しかしながら、このような構成を有する従来例の場合には、次のような問題がある。
【０００５】
すなわち、従来のパチンコ機では、封止機構の所定箇所を破壊する際に誤って他の箇所を破壊してしまうおそれがあるという問題がある。
【０００６】
本発明は、このような事情に鑑みてなされたものであって、基板ケースを誤破壊することなく封止解除できる封止部材を備えた遊技機を提供することを目的とする。
【課題を解決するための手段】
【０００７】
この発明は、このような目的を達成するために、次のような構成をとる。
すなわち、請求項１に記載の発明は、
遊技に関する制御を行う制御基板と、
該制御基板を内部に収容する基板ユニットとを備えた遊技機において、
該基板ユニットは、
当該基板ユニットを封止する封止部材と、
弾性を有し、有色の流体を収容する流体収容部材とを備え、
前記流体が当該流体収容部材の外部に流出した場合に前記流体収容部材が変形することで前記封止部材による前記基板ユニットの封止状態が解除される
ことを特徴とするものである。
【発明の効果】
【０００８】
この発明に係る遊技機によれば、基板ユニットを誤破壊することなく封止解除できる封止部材を備えた遊技機を提供することができる。
【発明を実施するための最良の形態】
【０００９】
なお、本明細書は、次のような遊技機に係る発明も開示している。
【００１０】
（０）  所定の遊技に関する制御を司る制御基板を内部に収容する収容ケースを備えた遊技機において、
前記収容ケースは、第１ケース体と第２ケース体とを備え、前記第１ケース体と前記第２ケース体とを合わせることでその内部に形成される内部空間内に前記制御基板を収容するものであり、前記第１ケース体および前記第２ケース体を封止する封止手段を備え、
前記封止手段は、
前記第１ケース体の所定箇所に形成された収納穴部と、
前記収納穴部の底側に設けられた、所定の流体を内部に密閉収容しつつ外装が柔軟性のある流体収容部材と、
前記収納穴部での前記流体収容部材上に当該収納穴部から脱落防止に設けられ、前記第２ケース体と係止する係止部材と、
を備え、
前記収納穴部は、前記流体収容部材の内部の流体を出させるために当該流体収容部材に突き刺す突き刺し部材が挿入される貫通孔を備えている
ことを特徴とする遊技機。
前記（０）に記載の発明によれば、遊技機は、所定の遊技に関する制御を司る制御基板を内部に収容する収容ケースを備えている。この収容ケースは、第１ケース体と第２ケース体とを備え、第１ケース体と第２ケース体とを合わせることでその内部に形成される内部空間内に制御基板を収容するものであり、第１ケース体および第２ケース体を封止する封止手段を備えている。この封止手段は収納穴部と流体収容部材と係止部材とを備えている。収納穴部は、第１ケース体の所定箇所に形成されている。流体収容部材は、所定の流体を内部に密閉収容しつつ外装が柔軟性のあるものであり、収納穴部の底側に設けられている。係止部材は、収納穴部での流体収容部材上に当該収納穴部から脱落防止に設けられ、第２ケース体と係止する。収納穴部の貫通孔に突き刺し部材が挿入され、この突き刺し部材が流体収容部材に突き刺され、流体収容部材が破られてこの流体収容部材から流体が流出する。そして、この流体収容部材からの流体の喪失によって係止部材の出っ張りが失われ、第１ケース体および第２ケース体の封止が解除される。したがって、収容ケースの如何なる箇所も破壊することなく、封止手段の封止を解除できる。つまり、収容ケース（例えば基板ケース）を誤破壊することなく封止解除できる。
（１）  前記（０）に記載の遊技機において、
前記係止部材は、前記収納穴部での前記流体収容部材上に当該収納穴部から脱落防止に設けられ、かつ、当該収納穴部の深さ方向に所定範囲内で移動可能であり、
前記封止手段は、前記第１ケース体と前記第２ケース体とを合わせる過程で前記係止部材が押し下げられ、これらのケース体を閉鎖状態に合わせた後に前記係止部材の押し下げが解除されて出っ張ってこの係止部材が前記第２ケース体と係止されることで、前記第２ケース体が前記第１ケース体から離れることを阻止するものである
ことを特徴とする遊技機。
【００１１】
前記（１）に記載の発明によれば、係止部材は、収納穴部での流体収容部材上に当該収納穴部から脱落防止に設けられ、かつ、当該収納穴部の深さ方向に所定範囲内で移動可能なものである。この封止手段は、第１ケース体と第２ケース体とを合わせる過程で係止部材が押し下げられ、これらのケース体を閉鎖状態に合わせた後に係止部材の押し下げが解除されて出っ張ってこの係止部材が第２ケース体と係止されることで、第２ケース体が第１ケース体から離れることを阻止する。収納穴部の貫通孔に突き刺し部材が挿入され、この突き刺し部材が流体収容部材に突き刺され、流体収容部材の内部の流体が流出する。そして、この流体収容部材からの流体の喪失によって係止部材の出っ張りが失われ、第１ケース体および第２ケース体の封止が解除される。したがって、収容ケースの如何なる箇所も破壊することなく、封止手段の封止を解除できる。つまり、収容ケース（例えば基板ケース）を誤破壊することなく封止解除できる。
【００１２】
（２）  前記（０）に記載の遊技機、または、前記（１）に記載の遊技機において、
前記収納穴部に挿入される、上部が開口した有底中空箱状の挿入部材を備え、
前記流体収容部材は、前記挿入部材の中空底側に設けられ、
前記係止部材は、前記挿入部材の中空部分での前記流体収容部材上に当該挿入部材から脱落防止に設けられ、かつ、当該挿入部材への挿入方向に所定範囲内で移動可能なものであり、
前記挿入部材は、前記収納穴部の前記貫通孔に連設するように、前記突き刺し部材の挿入される貫通孔を備え、
前記挿入部材と前記流体収容部材と前記係止部材とをユニット化した封止ユニットとしている
ことを特徴とする遊技機。
【００１３】
前記（２）に記載の発明によれば、挿入部材は、収納穴部に挿入され、上部が開口した有底中空箱状のものである。流体収容部材は、挿入部材の中空底側に設けられる。係止部材は、挿入部材の中空部分での流体収容部材上に当該挿入部材から脱落防止に設けられ、かつ、当該挿入部材への挿入方向に所定範囲内で移動可能なものである。挿入部材には、収納穴部の貫通孔に連設するように、突き刺し部材の挿入される貫通孔を備えている。さらに、挿入部材と流体収容部材と係止部材とをユニット化している。したがって、挿入部材の中空底側から順に流体収容部材と係止部材とを設けてユニット化した封止ユニットとしているので、このユニット単位で第１ケース体の収納穴部に装着でき、取り扱い性に優れている。
【００１４】
（３）  前記（０）に記載の遊技機、または、前記（１）に記載の遊技機において、
前記第１ケース体での前記収納穴部の周囲箇所の少なくとも一部が透明であり、
前記流体収容部材は、その流体としての有色液体を密閉収容している
ことを特徴とする遊技機。
【００１５】
前記（３）に記載の発明によれば、第１ケース体での収納穴部の周囲箇所の少なくとも一部は透明となっている。流体収容部材は、その流体としての有色液体を密閉収容している。したがって、収納穴部の貫通孔に突き刺し部材が挿入されて流体収容部材に突き刺され、流体収容部材の内部の有色液体が流出し、その収納穴部の内周に有色液体が付着するので、その収納穴部の内周への有色液体の付着を第１ケース体の外部から視認することができ、封止手段が解除されたことを判別し易くできる。
【００１６】
（４）  前記（２）に記載の遊技機において、
前記第１ケース体での前記収納穴部の周囲箇所の少なくとも一部が透明であり、
前記第１ケース体のその透明箇所と対向する、前記挿入部材での箇所も透明であり、
前記流体収容部材は、その流体としての有色液体を密閉収容している
ことを特徴とする遊技機。
【００１７】
前記（４）に記載の発明によれば、第１ケース体での収納穴部の周囲箇所の少なくとも一部は透明となっている。また、第１ケース体のその透明箇所と対向する、挿入部材での箇所も透明となっている。流体収容部材は、その流体としての有色液体を密閉収容している。したがって、収納穴部および挿入部材の連設する各貫通孔に突き刺し部材が挿入されて流体収容部材に突き刺され、流体収容部材の内部の有色液体が流出し、その挿入部材の内周に有色液体が付着するので、その挿入部材の内周への有色液体の付着を第１ケース体の外部から視認することができ、封止手段が解除されたことを判別し易くできる。
【００１８】
（５）  前記（３）に記載の遊技機において、
前記流体収容部材は、その流体としての、空気に触れると変色する液体を密閉収容している
ことを特徴とする遊技機。
【００１９】
前記（５）に記載の発明によれば、第１ケース体での収納穴部の周囲箇所の少なくとも一部は透明となっている。流体収容部材は、その流体としての、空気に触れると変色する液体を密閉収容している。したがって、収納穴部の貫通孔に突き刺し部材が挿入されて流体収容部材に突き刺され、流体収容部材の内部の液体が流出し、その液体が空気に触れて変色して収納穴部の内周に付着するので、その収納穴部の内周に付着した液体の変色を第１ケース体の外部から視認することができ、封止手段が解除されたことをさらに判別し易くできる。つまり、流体収容部材に密閉収容されているときの液体の色と、流体収容部材が破られて流出した液体が空気に触れて変色したその色との違いを視認することで、明確に封止手段が解除されたことを判別できる。
【００２０】
（６）  前記（４）に記載の遊技機において、
前記流体収容部材は、その流体としての、空気に触れると変色する液体を密閉収容している
ことを特徴とする遊技機。
【００２１】
前記（６）に記載の発明によれば、第１ケース体での収納穴部の周囲箇所の少なくとも一部は透明となっている。また、第１ケース体のその透明箇所と対向する、挿入部材での箇所も透明となっている。流体収容部材は、その流体としての、空気に触れると変色する液体を密閉収容している。したがって、収納穴部および挿入部材の連設する各貫通孔に突き刺し部材が挿入されて流体収容部材に突き刺され、流体収容部材の内部の液体が流出し、その液体が空気に触れて変色して挿入部材の内周に付着するので、その挿入部材の内周に付着した液体の変色を第１ケース体の外部から視認することができ、封止手段が解除されたことをさらに判別し易くできる。つまり、流体収容部材に密閉収容されているときの液体の色と、流体収容部材が破られて流出した液体が空気に触れて変色したその色との違いを視認することで、明確に封止手段が解除されたことを判別できる。
【００２２】
（７）  前記（０）に記載の遊技機、または、前記（１）から（６）のいずれか一つに記載の遊技機において、
前記流体収容部材は、所定の流体を内部に密閉収容しつつ外装が柔軟性のある袋体である
ことを特徴とする遊技機。
【００２３】
前記（７）に記載の発明によれば、流体収容部材は、所定の流体を内部に密閉収容しつつ外装が柔軟性のある袋体である。したがって、係止部材の押下により挿入部材または収納穴部の内周形状に合うように弾性変形し、その押下解除によって弾性変形がその押下解除分だけ解除され、係止部材の機能を確保できるだけでなく、突き刺し部材による突き刺しにより破れることができ、好適な流体収容部材を実現できる。
【００２４】
（８）  前記（３）に記載の遊技機において、
前記流体収容部材は、前記流体としての第１流体を密閉収容する第１袋体と、前記流体としての、第１流体とは種類の異なる第２流体を密閉収容しつつ、前記第１袋体を収容する第２袋体と、を備え、第１流体と第２流体とを分離して密閉収容するものであり、
前記第１袋体が破られて流出した第１流体と前記第２袋体も破られて流出した第２流体とが化学反応することで有色化あるいは変色した第３流体が生成されるものである
ことを特徴とする遊技機。
【００２５】
前記（８）に記載の発明によれば、第１ケース体での収納穴部の周囲箇所の少なくとも一部は透明となっている。流体収容部材は、流体としての第１流体を密閉収容する第１袋体と、流体としての、第１流体とは種類の異なる第２流体を密閉収容しつつ、第１袋体を収容する第２袋体と、を備え、第１流体と第２流体とを分離して密閉収容するものであり、第１袋体が破られて流出した第１流体と、第２袋体も破られて流出した第２流体とが化学反応することで有色化あるいは変色した第３流体が生成される。したがって、収納穴部の貫通孔に突き刺し部材が挿入されて流体収容部材の第１袋体および第２袋体に突き刺され、流体収容部材の内部の第１流体および第２流体が流出し、それらの流体が化学反応して有色化あるいは変色した第３流体が収納穴部の内周に付着するので、その収納穴部の内周に付着した第３流体を第１ケース体の外部から視認することができ、封止手段が解除されたことをさらに判別し易くできる。つまり、流体収容部材に密閉収容されているときの第１流体および第２流体の色と、流体収容部材が破られて流出した第１流体および第２流体の化学反応後の第３流体の有色化あるいは変色との違いを視認することで、明確に封止手段が解除されたことを判別できる。
【００２６】
（９）  前記（４）に記載の遊技機において、
前記流体収容部材は、前記流体としての第１流体を密閉収容する第１袋体と、前記流体としての、第１流体とは種類の異なる第２流体を密閉収容しつつ、前記第１袋体を収容する第２袋体と、を備え、第１流体と第２流体とを分離して密閉収容するものであり、
前記第１袋体が破られて流出した第１流体と前記第２袋体も破られて流出した第２流体とが化学反応することで有色化あるいは変色した第３流体が生成されるものである
ことを特徴とする遊技機。
【００２７】
前記（９）に記載の発明によれば、第１ケース体での収納穴部の周囲箇所の少なくとも一部は透明となっている。また、第１ケース体のその透明箇所と対向する、挿入部材での箇所も透明となっている。流体収容部材は、流体としての第１流体を密閉収容する第１袋体と、流体としての、第１流体とは種類の異なる第２流体を密閉収容しつつ、第１袋体を収容する第２袋体と、を備え、第１流体と第２流体とを分離して密閉収容するものであり、第１袋体が破られて流出した第１流体と、第２袋体も破られて流出した第２流体とが化学反応することで有色化あるいは変色した第３流体が生成される。したがって、収納穴部および挿入部材の連設する各貫通孔に突き刺し部材が挿入されて流体収容部材の第１袋体および第２袋体に突き刺され、流体収容部材の内部の第１流体および第２流体が流出し、それらの流体が化学反応して有色化あるいは変色した第３流体が挿入部材の内周に付着するので、その挿入部材の内周に付着した第３流体を第１ケース体の外部から視認することができ、封止手段が解除されたことをさらに判別し易くできる。つまり、流体収容部材に密閉収容されているときの第１流体および第２流体の色と、流体収容部材が破られて流出した第１流体および第２流体の化学反応後の第３流体の有色化あるいは変色との違いを視認することで、明確に封止手段が解除されたことを判別できる。
【００２８】
（１０）  前記（３）に記載の遊技機において、
前記流体収容部材は、その流体としての、空気に触れると固化する液体を密閉収容している
ことを特徴とする遊技機。
【００２９】
前記（１０）に記載の発明によれば、第１ケース体での収納穴部の周囲箇所の少なくとも一部は透明となっている。流体収容部材は、その流体としての、空気に触れると固化する液体を密閉収容している。したがって、収納穴部の貫通孔に突き刺し部材が挿入されて流体収容部材に突き刺され、流体収容部材の内部の液体が流出し、その液体が空気に触れて収納穴部の内周などで固化するので、その収納穴部の内周などでの固化物を第１ケース体の外部から視認することができ、封止手段が解除されたことをさらに判別し易くできる。
【００３０】
（１１）  前記（４）に記載の遊技機において、
前記流体収容部材は、その流体としての、空気に触れると固化する液体を密閉収容している
ことを特徴とする遊技機。
【００３１】
前記（１１）に記載の発明によれば、第１ケース体での収納穴部の周囲箇所の少なくとも一部は透明となっている。また、第１ケース体のその透明箇所と対向する、挿入部材での箇所も透明となっている。流体収容部材は、その流体としての、空気に触れると固化する液体を密閉収容している。したがって、収納穴部および挿入部材の連設する各貫通孔に突き刺し部材が挿入されて流体収容部材に突き刺され、流体収容部材の内部の液体が流出し、その液体が空気に触れて挿入部材の内周などで固化するので、その挿入部材の内周などでの固化物を第１ケース体の外部から視認することができ、封止手段が解除されたことをさらに判別し易くできる。
【００３２】
（１２）  前記（０）に記載の遊技機、または、前記（１）から（１１）のいずれか一つに記載の遊技機において、
前記第１ケース体と前記第２ケース体とは、互いにスライド可能であり、これらのケース体を閉鎖状態に合わせた位置にてスライドが停止する構成としており、
前記封止手段は、前記第１ケース体と前記第２ケース体とを合わせるスライド過程で前記係止部材が押し下げられ、これらのケース体を閉鎖状態に合わせた後に前記係止部材の押し下げが解除されて出っ張ってこの係止部材が前記第２ケース体と係止されることで、前記第２ケース体が前記第１ケース体から離れる方向にスライドすることを阻止するものである
ことを特徴とする遊技機。
【００３３】
前記（１２）に記載の発明によれば、第１ケース体と第２ケース体とは、互いにスライド可能であり、これらのケース体を閉鎖状態に合わせた位置にてスライドが停止する。封止手段は、第１ケース体と第２ケース体とを合わせるスライド過程で係止部材が押し下げられ、これらのケース体を閉鎖状態に合わせた後に係止部材の押し下げが解除されて出っ張ってこの係止部材が第２ケース体と係止されることで、第２ケース体が第１ケース体から離れる方向にスライドすることを阻止するものである。したがって、第１ケース体と第２ケース体とで簡単に収容ケースを閉鎖させて封止させることができる。
【００３４】
（１３）  前記（０）に記載の遊技機、または、前記（１）から（１２）のいずれか一つに記載の遊技機において、
前記遊技機はパチンコ機であることを特徴とする遊技機。
【００３５】
前記（１３）に記載の遊技機によれば、基板ケースを誤破壊することなく封止解除できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３６】
（１４）  前記（０）に記載の遊技機、または、前記（１）から（１２）のいずれか一つに記載の遊技機において、
前記遊技機はスロットマシンであることを特徴とする遊技機。
【００３７】
前記（１４）に記載の遊技機によれば、基板ケースを誤破壊することなく封止解除できるスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００３８】
【００３９】
以下、パチンコ遊技機（以下、単に「パチンコ機」という）の各種の実施の形態を、図面に基づいて詳細に説明する。
【実施例１】
【００４０】
実施例１のパチンコ機を、図面に基づいて詳細に説明する。図１はパチンコ機１０の正面図であり、図２は、パチンコ機１０の遊技盤３０の正面図であり、図３は、パチンコ機１０の裏面図である。図４は、パチンコ機１０の電気的構成を示すブロック図である。図５は、第３図柄表示装置４２の表示内容を示す説明図である。
【００４１】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００４２】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００４３】
図１に示すように、内枠１２は、大別すると、その外形を形成する主要部材としての樹脂ベース（図示省略）と、この樹脂ベースの前面側で片開き自在な前面枠セット１４と、樹脂ベース（図示省略）に取り付けられる遊技盤３０（図２参照）とを備えている。
【００４４】
具体的には、樹脂ベース（図示省略）は、正面視で、その外形が略矩形状で、かつ、その略中央箇所を開口中心とする開口部（後述する遊技領域３０ａ（図２参照）と同等の大きさの開口）が形成された板状部材としている。
【００４５】
前面枠セット１４は、正面視左側で上下方向の開閉軸を軸心にして当該内枠１２に対して開閉自在に取り付けられている。言い換えれば、前面枠セット１４は、樹脂ベース（図示省略）に対して開閉自在となっている。
【００４６】
遊技盤３０（図２参照）は、その遊技領域３０ａを樹脂ベース（図示省略）の開口部に位置させるようにして当該樹脂ベースに着脱自在に取り付けられる。
【００４７】
ここで、もう少し詳細に前面枠セット１４について説明する。
【００４８】
前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００４９】
前面枠セット１４は、図１に示すように、その前面視すると、最下部に位置する下皿ユニット１３と、この下皿ユニット１３の上側に位置する上皿ユニット２１と、この上皿ユニット２１の上側に位置するガラス枠部２３とを備えている。
【００５０】
下皿ユニット１３は、図１に示すように、前面枠セット１４の最下部箇所に位置するように、ネジ等の締結具により固定されている。この下皿ユニット１３は、その前面側に、下皿１５と球抜きレバー１７と遊技球発射ハンドル１８とを備えている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜く（排出する）ためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、例えば、遊技球発射ハンドル１８と発射装置２２９（図４参照）などで構成されている。音出力部２４は、前面枠セット１４の正面視で上部の左右２箇所で、その前面枠セット１４の内部あるいは背面箇所に設けられたスピーカからの音を出力するための出力口である。
【００５１】
上皿ユニット２１は、図１に示すように、前面枠セット１４の下部箇所（前述の下皿１５の上方位置）に位置するように、ネジ等の締結具により固定されており、遊技球の受皿としての上皿１９を備えている。ここで、上皿１９は、遊技球を一旦貯留し、一列に整列させながら遊技球発射装置３８の方へ導出するための球受皿である。
【００５２】
ガラス枠部２３は、図１に示すように、上皿ユニット２１の上側に形成された窓部１０１と、この窓部１０１の周囲に設けられた各種の電飾部とを備えている。
【００５３】
つまり、前面枠セット１４には、図１に示すように、前述した上皿ユニット２１の上側に、遊技盤３０の遊技領域３０ａ（図２参照）のほとんどを外部から視認することができるよう略縦長楕円形状の窓部１０１が形成されている。詳しくは、窓部１０１は、略縦長楕円形状で中央が空洞となっており、その空洞部分を略縦長楕円形状等のガラス板１３７で覆うように、図示省略のガラスユニットが前面枠セット１４の裏面側に取り付けられたものである。図示省略のガラスユニットは、二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００５４】
加えて、前面枠セット１４は、図１に示すように、その前面側で窓部１０１の周囲（例えば、上箇所、左箇所、右箇所など）に各種の電飾部を備えている。これらの電飾部は、大当たり時や所定のリーチ時等における遊技状態の変化に応じて点灯、点滅のように発光態様が変更制御され遊技中の演出効果を高める役割を果たすものである。例えば、窓部１０１の周縁でその左箇所及び右箇所には、ＬＥＤ等を内蔵した左側電飾部及び右側電飾部がそれぞれに設けられ、窓部１０１の周縁でその上箇所（パチンコ機１０の最上部）には、同じくＬＥＤ等を内蔵した上側電飾部が設けられている。
【００５５】
本パチンコ機１０では、左側電飾部、右側電飾部および上側電飾部は、大当たりランプとして機能し、大当たり時に点灯や点滅を行うことにより、大当たり中であることを報知する。その他、本パチンコ機１０のコーナー部には、賞球払出し中に点灯する賞球ランプ１０５と、所定のエラー時に点灯するエラー表示ランプ１０６とが備えられている。また、窓部１０１の周縁で右斜め下箇所には、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００５６】
また、窓部１０１の下方には貸球操作部１２０が配設されており、貸球操作部１２０には球貸しボタン１２１と返却ボタン１２２とが設けられている。パチンコ機１０の側方に配置された図示しないカードユニット（球貸しユニット）に紙幣やカード（例えばプリペイドカード）等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００５７】
遊技盤３０は、図２に示すように、正面視で四角形状の合板よりなり、その周縁部が内枠１２の樹脂ベース（図示省略）の裏側に当接した状態で取着されており、この遊技盤３０の前面側の略中央部分たる遊技領域３０ａが樹脂ベースの略楕円形状の図１に示した窓部１０１（ガラス板１３７）を通じて内枠１２の前面側から視認可能な状態となっている。
【００５８】
次に、図２を用いて遊技盤３０の構成を説明する。遊技盤３０は、一般入賞口３１、可変入賞装置３２、第１の始動口３３ａ，３３ｂ（例えば作動チャッカ）、第２の始動口３４（例えばスルーゲート）、可変表示装置ユニット３５等を備えている。これらの一般入賞口３１、可変入賞装置３２、第１の始動口３３ａ，３３ｂ（例えば作動チャッカ）、第２の始動口３４（例えばスルーゲート）、可変表示装置ユニット３５等は、遊技盤３０における、ルータ加工によって形成された各貫通穴にそれぞれに配設され、遊技盤３０前面側から木ネジ等により取り付けられている。前述の一般入賞口３１、可変入賞装置３２および第１の始動口３３ａ，３３ｂに遊技球が入球し、当該入球が後述する検出スイッチ（入賞口スイッチ、カウントスイッチ、作動口スイッチ）で検出され、この検出スイッチの出力に基づいて、上皿１９（または下皿１５）へ所定数の賞品球が払い出される。なお、前述したように、上部側の第１の始動口３３ａには作動口スイッチ（通過検出スイッチ）が設けられ、この第１の始動口３３ａへの入球をその作動口スイッチにより検出されるようになっている。また、下部側の第１の始動口３３ｂにも作動口スイッチ（通過検出スイッチ）が設けられ、この第１の始動口３３ｂへの入球をその作動口スイッチにより検出されるようになっている。すなわち、上部側の第１の始動口３３ａへの遊技球の入球または下部側の第１の始動口３３ｂへの遊技球の入球のどちらの場合にも、それが始動入賞であることに変わりは無い。なお、上部側の第１の始動口３３ａと下部側の第１の始動口３３ｂとは、図２に示すように、単一の始動入賞装置３３で構成されている。
【００５９】
その他に、図２に示すように、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００６０】
可変表示装置ユニット３５は、第１の始動口３３ａ，３３ｂへの入賞をトリガとして、識別情報としての第１図柄（例えば特別図柄）を変動表示する第１図柄表示装置４０と、第２の始動口３４の通過をトリガとして、第２図柄（例えば普通図柄）を変動表示する第２図柄表示装置４１と、第１の始動口３３ａ，３３ｂへの入賞をトリガとして、第３図柄（例えば装飾図柄）を変動表示する第３図柄表示装置４２とを備えている。
【００６１】
第１図柄表示装置４０は、例えば、複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃとを備えている。このＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００６２】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００６３】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第１の始動口３３ｂが所定時間だけ作動状態となる（開放される）よう構成されている。遊技球が第２の始動口３４を通過した回数は最大４回まで保留され、その保留回数が保留ランプ４１ｃにて点灯表示されるようになっている。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００６４】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示されるようになっている。なお本実施の形態では、第３図柄表示装置４２（液晶表示装置）は、例えば、１１インチサイズの大型の液晶ディスプレイを備える。可変表示装置ユニット３５には、第３図柄表示装置４２を囲むようにしてセンターフレーム４７が配設されている。なお、上述した第３図柄表示装置４２が本発明における装飾識別情報（図柄）変動表示手段に相当し、上述した表示制御装置４５が本発明における表示制御手段に相当する。
【００６５】
図２に示すように、可変入賞装置３２は、通常は遊技球が入賞できない又は入賞し難い閉状態になっており、大当たりの際に遊技球が入賞しやすい開状態と通常の閉状態とに繰り返し作動されるものである。このように、大当たりの際に可変入賞装置３２が開状態と通常の閉状態とに繰り返し作動される状態は、特別遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。
【００６６】
より詳しくは、第１の始動口３３ａ，３３ｂに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特別遊技状態が発生する。例えば、両方のＬＥＤ４０ａ，４０ｂが赤色発光状態で停止するという発光態様の場合には、確変大当り（特定当り）の特別遊技状態に当選したことを示し、両方のＬＥＤ４０ａ，４０ｂが青色発光状態で停止するという発光態様の場合には、通常大当り（非特定当り）の特別遊技状態に当選したことを示し、両方のＬＥＤ４０ａ，４０ｂが互いに異なる色の発光状態で停止するという発光態様の場合には外れ（特別遊技状態に落選したこと）を示す。
【００６７】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。遊技球が第１の始動口３３ａ，３３ｂを通過した回数は最大４回まで保留され、その保留回数が保留ランプ４０ｃにて点灯表示されるようになっている。なお、保留ランプ４０ｃは、第３図柄表示装置４２の表示画面の一部で保留表示等される構成等であっても良い。
【００６８】
また、遊技盤３０には、図２に示すように、遊技球発射装置３８（図３参照）から発射された遊技球を遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域３０ａに案内されるようになっている。複数本のレール５１，５２は長尺状をなすステンレス製の金属帯状部材であり、内外二重に遊技盤３０に取り付けられている。内レール５１は、遊技盤３０の上部から右側までを除いて略半円状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００６９】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、遊技盤３０が内枠１２に取り付けられた状態において、外レール５２における、遊技球の最大飛翔部分に対応する位置（図２の右上部：外レール５２の先端部に相当する部位）には、内枠１２に設けられた返しゴム（図示省略）が位置するようになっている。従って、所定以上の勢いで発射された遊技球は、返しゴム（図示省略）に当たって跳ね返されるようになっている。外レール５２は、長尺状をなすステンレス製の金属帯としているので、遊技球の飛翔をより滑らかなものとする、つまり遊技球の摩擦抵抗を少なくすることができる。
【００７０】
なお、遊技盤３０の右下隅部は、証紙（例えば製造番号が記載されている）等のシール（図２のＳ１）やプレートを貼着するためのスペースとなっている。遊技盤３０の右下隅部に、証紙等のシール（図２のＳ１）を貼着することで、遊技盤３０と証紙との一義性を持たせることができる。
【００７１】
次に、遊技盤３０の遊技領域３０ａについて説明する。遊技領域３０ａは、図２に示すように、内レール５１と外レール５２との内周部（内外レール）により略縦長円形状に区画形成されており、特に本実施の形態では、遊技盤３０の盤面上に区画される当該遊技領域３０ａが従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００７２】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【００７３】
従って、本実施の形態では、例えば、遊技領域３０ａの幅（左右方向の最大幅）は、４１８ｍｍであり、遊技領域３０ａの高さ（上下方向の最大幅）は、４７５ｍｍであり、縦長楕円形状となっている。
【００７４】
なお、詳しい図面の開示は省略するが、遊技球発射装置３８には、前面枠セット１４側の球出口（上皿１９の最下流部より通じる球出口）から遊技球が１つずつ供給される。
【００７５】
次に、パチンコ機１０の背面の構成について説明する。図３に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台に分けて搭載して２つの制御基板ユニットを構成し、それら制御基板ユニットを個別に内枠１２又は遊技盤３０の裏面に装着するようにしている。この場合、後述する図４に示した主制御装置２６１とサブ制御装置２６２とを一方の取付台（図示省略）に搭載してユニット化すると共に、図３に示した払出制御装置３１１、発射制御装置３１２及び電源装置３１３他方の取付台（図示省略）に搭載してユニット化している。ここでは便宜上、前者のユニットを「第１制御基板ユニット２０１」と称し、後者のユニットを「第２制御基板ユニット２０２」と称することとする。
【００７６】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００７７】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【００７８】
また、遊技盤３０の裏面には、各種入賞口などの遊技球の通過を検出するための入賞感知機構などが設けられている。具体的には、遊技盤３０表側の一般入賞口３１に対応する位置には入賞口スイッチが設けられ、可変入賞装置３２にはカウントスイッチが設けられている。カウントスイッチは入賞球をカウントするスイッチである。また、第１の始動口３３ａ，３３ｂに対応する位置には作動口スイッチがそれぞれ設けられ、第１の始動口３３ａ，３３ｂへの遊技球の入球を当該作動口スイッチで検出される。第２の始動口３４に対応する位置にはゲートスイッチが設けられ、第２の始動口３４への遊技球の通過を当該作動口スイッチで検出される。なお、上述した作動口スイッチが本発明における入賞検出手段に相当する。
【００７９】
入賞口スイッチ及びゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、カウントスイッチは大入賞口中継端子基板（図示省略）に接続され、さらにこの大入賞口中継端子基板（図示省略）がやはり主制御基板２６１ａに接続されている。これに対し、作動口スイッチは中継基板を介さずに直接に主制御基板２６１ａに接続されている。
【００８０】
その他図示は省略するが、可変入賞装置３２には、大入賞口３２ａを開放するための大入賞口ソレノイドが設けられ、下部側の第１の始動口３３ｂには、電動役物を開放するための作動口ソレノイドが設けられている。
【００８１】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。
【００８２】
第１制御基板ユニット２０１は、主制御装置２６１とサブ制御装置２６２とを備えている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベース２６５と、このボックスベース２６５の開口部２６５ａを覆うボックスカバー２６７とを備えている。
【００８３】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【００８４】
第２制御基板ユニット２０２は横長形状をなす取付台（図示省略）を有し、この取付台に払出制御装置３１１、発射制御装置３１２、電源装置３１３及びカードユニット接続基板３１４が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板３１４は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００８５】
上記払出制御装置３１１、発射制御装置３１２、電源装置３１３及びカードユニット接続基板３１４は、透明樹脂材料等よりなる基板ボックスにそれぞれ収容されて構成されている。特に、払出制御装置３１１では、前述した主制御装置２６１と同様、基板ボックス（被包手段）を構成するボックスベース（図示省略）とボックスカバー（図示省略）とが封印ユニット（封印手段）によって開封不能に連結され、これにより基板ボックス２６３が封印されている。
【００８６】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【００８７】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【００８８】
次に、裏パックユニット２０３の構成を説明する。裏パックユニット２０３は、図３に示すように、樹脂成形された裏パック３５１と遊技球の払出機構部３５２とを一体化したものである。
【００８９】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて前記上皿１９に供給される。
【００９０】
また、タンクレール３５６には、当該タンクレール３５６に振動を付加するためのバイブレータ３６０が設けられている。例えば、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【００９１】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされるようになっている。
【００９２】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【００９３】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力されるようになっている。
【００９４】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【００９５】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００９６】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアを備えている。
【００９７】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【００９８】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【００９９】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１００】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアを備えている。
【０１０１】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【０１０２】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【０１０３】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【０１０４】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【０１０５】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【０１０６】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１０７】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【０１０８】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１０９】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【０１１０】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２４ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【０１１１】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１１２】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【０１１３】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【０１１４】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示されるようになっている。
【０１１５】
続いて、本実施例のパチンコ機１０のさらなる特徴部分について図６〜図１５を用いて説明する。
【０１１６】
図６は、基板ボックス２６３の閉じた状態の平面図である。図７は、基板ボックス２６３の閉じる途中の状態を示す平面図である。図８は、基板ボックス２６３の封印部２７０の箇所を示す部分斜視図である。図９は、封印ユニット２７１を基板ボックス２６３の収納穴２６６に挿入することを示す図である。図１０（ａ）は、封印ユニット２７１の係止爪２７７が突出した状態の断面図であり、図１０（ｂ）は、封印ユニット２７１の係止爪２７７が押下された状態の断面図である。図１１（ａ）〜（ｃ）は、基板ボックス２６３を封印する過程を示す図である。図１２（ａ）は、封印ユニット２７１の流体収容袋体２７５を破る様子を示す一部断面図であり、図１２（ｂ）は、流体収容袋体２７５から流出した有色液体が基板ボックス２６３に付着している様子を示す一部断面図である。
【０１１７】
図６，図７に示すように、基板ボックス２６３は、その内部に、所定の遊技に関する制御を司る主制御基板２６１ａを収容している。主制御基板２６１ａは、パチンコ機１０を統括制御しており、始動入賞に基づく遊技内容処理や遊技球の払出など種々の制御を行っている。
【０１１８】
基板ボックス２６３は、図６，図７に示すように、ボックスベース２６５とボックスカバー２６７とを備え、ボックスベース２６５とボックスカバー２６７とを合わせることで、その内部に形成される内部空間内に、主制御基板２６１ａを収容するものである。
【０１１９】
本実施例では、図７，図８に示すように、ボックスベース２６５は、例えば、その外形が平面視で略直方体形状で、主制御基板２６１ａが挿入される開口部２６５ａを有する有底箱形状となっている。また、ボックスカバー２６７は、ボックスベース２６５の開口部２６５ａを覆うためのものである。ボックスベース２６５およびボックスカバー２６７は、透明樹脂成型品としている。
【０１２０】
図７，図８に示すように、ボックスベース２６５とボックスカバー２６７とは、互いに（相対的に）スライド可能であり、ボックスベース２６５の開口部２６５ａをボックスカバー２６７で閉塞した状態に合わせた位置にて、ボックスベース２６５とボックスカバー２６７とのスライドが停止する構成としている。
【０１２１】
具体的には、図７，図８に示すように、ボックスベース２６５は、その開口部２６５ａの幅方向両辺に、略コノ字状の案内溝２６５ｂがそれぞれ形成されている。また、ボックスカバー２６７は、その幅方向両辺に、案内溝２６５ｂに挿入される挿入レール２６７ａがそれぞれ形成されている。
【０１２２】
まず、ボックスベース２６５の開口部２６５ａの幅方向両辺での案内溝２６５ｂに、ボックスカバー２６７の幅方向両辺の挿入レール２６７ａをそれぞれ挿入させた状態で、ボックスベース２６５の開口部２６５ａをボックスカバー２６７で閉塞するようにこのボックスカバー２６７をボックスベース２６５にスライド移動させる。
【０１２３】
そして、図６〜図８に示すように、ボックスカバー２６７の挿入レール２６７ａの挿入先端側が、ボックスベース２６５の案内溝２６５ｂでの後述する封印部２７０側の端部位置Ｅ１（行き止まり位置）に達すると、ボックスベース２６５の開口部２６５ａをボックスカバー２６７で閉塞した状態となり、しかも、後述する係止爪２７７がボックスカバー２６７に係止され、開封できない状態にもなっている。
【０１２４】
さらに、この基板ボックス２６３は、図６〜図８に示すように、ボックスベース２６５およびボックスカバー２６７を封印する封印部２７０を備えている。つまり、ボックスベース２６５とボックスカバー２６７とは、封印部２７０によって開封不能にされ、これにより基板ボックス２６３が封印されている。
【０１２５】
封印部２７０は、図６〜図１０に示すように、ボックスベース２６５の所定箇所に形成された収納穴２６６と、この収納穴２６６に挿入される封印ユニット２７１とを備えている。
【０１２６】
この封印ユニット２７１は、この収納穴２６６に挿入される、上部が開口した有底中空箱状の中空箱体２７３と、この中空箱体２７３の中空底側に設けられた、所定の流体（例えば、有色液体）を内部に密閉収容しつつ外装が柔軟性のある流体収容袋体２７５（図１０参照）と、中空箱体２７３での流体収容袋体２７５上に当該中空箱体２７３から脱落防止に設けられ、ボックスカバー２６７と係止する係止爪２７７と、を備えている。つまり、この封印ユニット２７１は、図９，図１０に示すように、中空箱体２７３と流体収容袋体２７５と係止爪２７７とをユニット化したものである。
【０１２７】
流体収容袋体２７５は、図１０，図１２に示すように、内部の有色液体を密閉収容した、外装が柔軟性のある袋体（バルーン）であり、後述する突き刺し針２８０が突き刺されることで破れる部材である。
【０１２８】
流体収容袋体２７５の内部に密閉収容される有色液体としては、例えば油性インクを採用している。また、この有色液体としては、赤色、黒色、青色など種々の色のものを採用してもよいし、蛍光色のものを採用してもよい。流体収容袋体２７５は、その内部の有色液体が外部から見えない袋体としてもよいし、透明あるいは半透明の袋体とすることで見える袋体としてもよい。
【０１２９】
係止爪２７７は、図１０に示すように、中空箱体２７３への挿入方向に所定範囲内で移動可能となっている。具体的には、係止爪２７７は、その外周部での対向両外面の所定箇所に、中空箱体２７３への挿入方向（係止爪２７７の移動方向とも言える）に長い窪み部２７８がそれぞれ形成されている。また、中空箱体２７３は、その内周部での対向両内面の所定箇所に、係止爪２７７の窪み部２７８に挿入される突出部２７４がそれぞれ形成されている。
【０１３０】
また、収納穴２６６は、流体収容袋体２７５の内部の流体を出させるためにこの流体収容袋体２７５に突き刺す突き刺し針２８０が挿入される第１操作孔２６５ｃを備えている。
【０１３１】
中空箱体２７３は、収納穴２６６の第１操作孔２６５ｃに連設するように、突き刺し針２８０の挿入される第２操作孔２７３ａを備えている。また、中空箱体２７３は、透明な部材（例えば、透明樹脂成型品）としている。
【０１３２】
なお、上述した主制御基板２６１ａが本発明における制御基板に相当し、上述した基板ボックス２６３が本発明における収容ケースに相当し、上述したボックスベース２６５が本発明における第１ケース体に相当し、上述したボックスカバー２６７が本発明における第２ケース体に相当し、上述した封印部２７０が本発明における封止手段に相当し、上述した収納穴２６６が本発明における収納穴部に相当し、上述した流体収容袋体２７５が本発明における流体収容部材に相当し、上述した係止爪２７７が本発明における係止部に相当し、上述した突き刺し針２８０が本発明における突き刺し部材に相当し、上述した第１操作孔２６５ｃが本発明における収納穴部の貫通孔に相当し、上述した中空箱体２７３が本発明における挿入部材に相当し、上述した第２操作孔２７３ａが本発明における挿入部材の貫通孔に相当し、上述した封印ユニット２７１が本発明における封止ユニットに相当する。
【０１３３】
ここで、封印部２７０による基板ボックス２６３の封印手順などについて説明する。
【０１３４】
ボックスベース２６５の開口部２６５ａを介して主制御基板２６１ａを挿入し、このボックスベース２６５の内側の所定箇所に主制御基板２６１ａを取り付ける。
【０１３５】
そして、図９に二点鎖線矢印で示すように、ボックスベース２６５の４つの収納穴２６６のうちで未使用の収納穴２６６、つまり、後述する有色液体が付着していない収納穴２６６に、封印ユニット２７１を挿入する。なお、封印ユニット２７１を先に挿入しておいてから、ボックスベース２６５に主制御基板２６１ａを取り付けてもよい。
【０１３６】
そして、図７に示すように、ボックスベース２６５の開口部２６５ａを閉塞するようにボックスカバー２６７を、ボックスベース２６５にスライド装着させていく。
【０１３７】
図１１（ａ）では、ボックスカバー２６７は、ボックスベース２６５の封印部２７０の手前位置までスライド装着されている。ボックスカバー２６７を引き続きスライドさせていくと、封印部２７０の係止爪２７７の先端側である傾斜面２７７ａにボックスカバー２６７の先端部分が接触し、この係止爪２７７を下方向に押下し始め、さらに、スライドさせることで、さらに係止爪２７７が下方向に押下される。その様子を図１１（ｂ）に示す。図１１（ｂ）に示すように、係止爪２７７が下方向に押下されている分だけ流体収容袋体２７５が圧縮されていることがわかる。
【０１３８】
引き続いてボックスカバー２６７をスライドさせていくと、ボックスカバー２６７の先端部分が係止爪２７７を越えた位置に移動し、このとき係止爪２７７の押下が開放され、つまり、流体収容袋体２７５を圧縮させていた力が消滅し、この流体収容袋体２７５が元の形状に戻ろうとして係止爪２７７を押し上げる。つまり、係止爪２７７は、図１１（ｃ）に示すように、出っ張った状態となる。図１１（ｃ）に示すように、係止爪２７７がボックスカバー２６７と係止されることで、ボックスカバー２６７がボックスベース２６５から離れる方向に、つまり、ボックスカバー２６７を開ける方向にスライドすることが阻止される。
【０１３９】
なお、図９に示すように、ボックスベース２６５の案内溝２６５ｂは、その封印部２７０側の端部位置で行き止まりとなっているため、ボックスカバー２６７をそれ以上スライドさせることはできないし、図１１（ｃ）に示すように、戻し方向にスライド移動させようとしても、係止爪２７７の存在によりこの戻し方向へのスライドもできないようになっているので、ボックスベース２６５とボックスカバー２６７とが開封不能となっている。
【０１４０】
次に、基板ボックス２６３の開封手順などについて説明する。
【０１４１】
図１２（ａ）に示すように、ボックスベース２６５の第１操作孔２６５ｃに突き刺し針２８０を挿入し、さらに、中空箱体２７３の第２操作孔２７３ａに挿入し、流体収容袋体２７５に突き刺す。
【０１４２】
突き刺し針２８０の突き刺しにより、流体収容袋体２７５が破れて、その内部から有色液体が流出する。この流出した有色液体は、図１２（ｂ）に示すように、中空箱体２７３の中空内側や第２操作孔２７３ａの内側の箇所、さらに、ボックスベース２６５の第１操作孔２６５ｃの内側やボックスベース２６５の外側の箇所などに付着する（図１２での付着液ＦＬを参照）。
【０１４３】
図１２（ｂ）に示すように、流体収容袋体２７５から有色液体が流出することでそれ自体が収縮してしまい、係止爪２７７の押し上げ力が消失し、係止爪２７７が引っ込んだ状態となることから、ボックスカバー２６７の戻し方向へのスライドが可能、ボックスカバー２６７を開けるようにスライドが可能となり、封印が解除される。
【０１４４】
本実施例では、例えば４つの収納穴２６６が設けられた構成となっており、図８，図９に示すように、ボックスベース２６５の４つの収納穴２６６のうちで未使用の収容穴に、封印ユニット２７１を挿入した状態で、ボックスベース２６５の開口部２６５ａを閉塞するようにボックスカバー２６７をスライド移動させることで、ボックスベース２６５とボックスカバー２６７とが開封不能とされるようになっている。封印部２７０による封印処理は、その封印後の不正な開封を防止し、また万一不正開封が行われてもそのような事態を早期に且つ容易に発見可能とするものであって、一旦開封した後でも再度開封・封印処理を行うこと自体は可能である。
【０１４５】
すなわち、４つの収納穴２６６のうちで未使用の収容穴に、封印ユニット２７１を挿入した状態で、ボックスベース２６５の開口部２６５ａを閉塞するようにボックスカバー２６７をスライド移動させることにより封印処理が行われる。そして、収容した主制御基板２６１ａの不具合などにより基板ボックス２６３を開封する場合には、突き刺し針２８０によって流体収容袋体２７５を破り、有色液体を流出させる（この破裂された流体収容袋体２７５からの有色液体は当然に基板ボックス２６３に付着（図１２での付着液ＦＬを参照）し、破裂跡、つまり破裂痕跡が残った状態となっている）ことで、係止爪２７７の押し上げを解除し、ボックスカバー２６７のスライド移動を可能とすることで、係止爪２７７による封印を解除する。
【０１４６】
その後、再度封印処理する場合は他の収容穴に封印ユニット２７１を挿入して基板ボックス２６３を閉じる。基板ボックス２６３の開封を行った旨の履歴（流体収容袋体２７５の破裂による基板ボックス２６３への有色液体の付着）を当該基板ボックス２６３に残しており、基板ボックス２６３を見ることで不正な開封が行われた旨が容易に発見できる。
【０１４７】
また仮に、有色液体の付着した中空箱体２７３に封印ユニット２７１が挿入されている場合には、流体収容袋体２７５が破れていないのに、中空箱体２７３に有色液体が付着していることを視認できることから、封印ユニット２７１を不正に挿入しているのではないかという疑念や、基板ボックス２６３への不正行為があったのではないかという疑念を持つことができ、このような場合でも不正行為の発見に寄与する。
【０１４８】
上述したように、本実施例１のパチンコ機１０によれば、主制御基板２６１ａを内部に収容する基板ボックス２６３は、ボックスベース２６５とボックスカバー２６７とを備え、ボックスベース２６５とボックスカバー２６７とを合わせることでその内部に形成される内部空間内に主制御基板２６１ａを収容するものであり、ボックスベース２６５およびボックスカバー２６７を封印する封印部２７０を備え、この封印部２７０は、ボックスベース２６５の所定箇所に形成された収納穴２６６と、この収納穴２６６に挿入される、上部が開口した有底中空箱状の中空箱体２７３を備え、この中空箱体２７３の中空底側に設けられた、有色液体を内部に密閉収容しつつ外装が柔軟性のある流体収容袋体２７５と、中空箱体２７３の中空部分での流体収容袋体２７５上に当該中空箱体２７３から脱落防止に設けられ、ボックスカバー２６７と係止する係止爪２７７と、を備え、収納穴２６６は、流体収容袋体２７５の内部の流体を出させるために当該流体収容袋体２７５に突き刺す突き刺し針２８０が挿入される第１操作孔２６５ｃを備え、係止爪２７７は、中空箱体２７３への挿入方向に所定範囲内で移動可能なものであり、中空箱体２７３は、収納穴２６６の第１操作孔２６５ｃに連設するように、突き刺し針２８０の挿入される第２操作孔２７３ａを備え、中空箱体２７３と流体収容袋体２７５と係止爪２７７とをユニット化した封印ユニット２７１としている。
【０１４９】
したがって、基板ボックス２６３の如何なる箇所も破壊することなく、封印部２７０の封印を解除できる。つまり、基板ボックス２６３（例えば基板ケース）を誤破壊することなく封印解除できる。また、中空箱体２７３の中空底側から順に流体収容袋体２７５と係止爪２７７とを設けてユニット化した封印ユニット２７１としているので、このユニット単位でボックスベース２６５の収納穴２６６に装着でき、取り扱い性に優れている。
【０１５０】
また、ボックスベース２６５および中空箱体２７３が透明であり、流体収容袋体２７５は有色液体を密閉収容しているので、収納穴２６６および中空箱体２７３の連設する第１操作孔２６５ｃおよび第２操作孔２７３ａに突き刺し針２８０が挿入されて流体収容袋体２７５に突き刺され、流体収容袋体２７５の内部の有色液体が流出し、その中空箱体２７３の内周に有色液体が付着するので、その中空箱体２７３の内周への有色液体の付着をボックスベース２６５の外部から視認することができ、封印部２７０が解除されたことを判別し易くできる。
【０１５１】
また、流体収容袋体２７５は、有色液体を内部に密閉収容しつつ外装が柔軟性のある袋体としているので、係止爪２７７の押下により中空箱体２７３または収納穴２６６の内周形状に合うように弾性変形し、その押下解除によって弾性変形がその押下解除分だけ解除され、係止爪２７７の機能を確保できるだけでなく、突き刺し針２８０による突き刺しにより破れることができ、好適な流体収容部材を実現できる。
【０１５２】
また、ボックスベース２６５とボックスカバー２６７とは、互いにスライド可能であり、ボックスベース２６５とボックスカバー２６７とを閉鎖状態に合わせた位置にてスライドが停止する構成としており、封印部２７０は、ボックスベース２６５とボックスカバー２６７とを合わせるスライド過程で係止爪２７７が押し下げられ、ボックスベース２６５とボックスカバー２６７とを閉鎖状態に合わせた後に係止爪２７７の押し下げが解除されて出っ張ってこの係止爪２７７がボックスカバー２６７と係止されることで、ボックスカバー２６７がボックスベース２６５から離れる方向にスライドすることを阻止するものであるので、ボックスベース２６５とボックスカバー２６７とで簡単に基板ボックス２６３を閉鎖させて封印させることができる。
【実施例２】
【０１５３】
次に、実施例２のパチンコ機１０の封印部２７０について図１３を用いて説明する。
【０１５４】
図１３（ａ）は、実施例２の封印部２７０の流体収容袋体２７５を破る様子を示す一部断面図であり、図１３（ｂ）は、実施例２の流体収容袋体２７５から流出した有色液体が基板ボックス２６３に付着している様子を示す一部断面図である。
【０１５５】
前述した実施例１では、封印ユニット２７１をボックスベース２６５の収納穴２６６に挿入していたが、本実施例２では、ボックスベース２６５の収納穴２６６に流体収容袋体２７５と係止爪２７７とを直接に設けている構成、つまり、実施例１での中空箱体２７３を不採用としている点が、前述の実施例１とは相違する。実施例２の封印部２７０について、以下に説明する。
【０１５６】
実施例２の封印部２７０は、ボックスベース２６５の所定箇所に形成された収納穴２６６と、この収納穴２６６の底側に設けられた、有色液体を内部に密閉収容しつつ外装が柔軟性のある流体収容袋体２７５と、収納穴２６６での流体収容袋体２７５上に当該収納穴２６６から脱落防止に設けられ、ボックスカバー２６７と係止する係止爪２７７と、を備えている。
【０１５７】
収納穴２６６は、流体収容袋体２７５の内部の有色液体を出させるために当該流体収容袋体２７５に突き刺す突き刺し針２８０が挿入される第１操作孔２６５ｃを備えている。
【０１５８】
ボックスベース２６５およびボックスカバー２６７は、透明樹脂成型品としている。
【０１５９】
上述したように、本実施例２のパチンコ機１０によれば、主制御基板２６１ａを内部に収容する基板ボックス２６３は、ボックスベース２６５とボックスカバー２６７とを備え、ボックスベース２６５とボックスカバー２６７とを合わせることでその内部に形成される内部空間内に主制御基板２６１ａを収容するものであり、ボックスベース２６５およびボックスカバー２６７を封印する封印部２７０を備え、この封印部２７０は、ボックスベース２６５の所定箇所に形成された収納穴２６６と、この収納穴２６６の底側に設けられた、有色液体を内部に密閉収容しつつ外装が柔軟性のある流体収容袋体２７５と、収納穴２６６での流体収容袋体２７５上に当該収納穴２６６から脱落防止に設けられ、ボックスカバー２６７と係止する係止爪２７７と、を備え、収納穴２６６は、流体収容袋体２７５の内部の有色液体を出させるために当該流体収容袋体２７５に突き刺す突き刺し針２８０が挿入される第１操作孔２６５ｃを備えているので、基板ボックス２６３の如何なる箇所も破壊することなく、封印部２７０の封印を解除できる。つまり、基板ボックス２６３（例えば基板ケース）を誤破壊することなく封印解除できる。
【０１６０】
また、係止爪２７７は、収納穴２６６での流体収容袋体２７５上に当該収納穴２６６から脱落防止に設けられ、かつ、当該収納穴２６６の深さ方向に所定範囲内で移動可能であり、封印部２７０は、ボックスベース２６５とボックスカバー２６７とを合わせる過程で係止爪２７７が押し下げられ、これらのボックスベース２６５およびボックスカバー２６７を閉鎖状態に合わせた後に係止爪２７７の押し下げが解除されて出っ張ってこの係止爪２７７がボックスカバー２６７と係止されることで、ボックスカバー２６７がボックスベース２６５から離れることを阻止するものであるので、基板ボックス２６３の如何なる箇所も破壊することなく、封印部２７０の封印を解除できる。つまり、基板ボックス２６３（例えば基板ケース）を誤破壊することなく封印解除できる。
【０１６１】
また、ボックスベース２６５が透明であり、流体収容袋体２７５は有色液体を密閉収容しているので、収納穴２６６の第１操作孔２６５ｃに突き刺し針２８０が挿入されて流体収容袋体２７５に突き刺され、流体収容袋体２７５の内部の有色液体が流出し、その収納穴２６６の内周に有色液体が付着する（図１３での付着液ＦＬを参照）ので、その収納穴２６６の内周への有色液体の付着をボックスベース２６５の外部から視認することができ、封印部２７０が解除されたことを判別し易くできる。
【０１６２】
この発明は、上記実施形態に限られることはなく、下記のように変形実施することができる。
【０１６３】
（１）上述した各実施例では、図１２，図１３に示すように、ボックスベース２６５に収納穴２６６を設け、係止爪２７７でボックスカバー２６７が係止されるようにしているが、ボックスカバー２６７に設け収納穴２６６を設け、係止爪２７７でボックスベース２６５が係止されるようにしてもよい。
【０１６４】
（２）上述した各実施例では、基板ボックス２６３（収容ケース）としてはボックスベース２６５とボックスカバー２６７とがスライド装着されるものを採用しているが、スライド装着以外のタイプのものを採用してもよい。
【０１６５】
（３）上述した各実施例では、流体収容袋体２７５は有色液体を密閉収容しているが、空気に触れると変色する液体を採用してもよい。
【０１６６】
空気に触れると変色する液体としては、例えば、空気に触れることで酸化して変色する染料などが挙げられる。
【０１６７】
例えば、実施例１の構成に上記変色する液体を採用した場合には、収納穴２６６および中空箱体２７３の連設する第１操作孔２６５ｃ，第２操作孔２７３ａに突き刺し針２８０が挿入されて流体収容袋体２７５に突き刺され、流体収容袋体２７５の内部の液体が流出し、その液体が空気に触れて変色して中空箱体２７３の内周に付着するので、その中空箱体２７３の内周に付着した液体の変色をボックスベース２６５の外部から視認することができ、封印部２７０が解除されたことをさらに判別し易くできる。つまり、流体収容袋体２７５に密閉収容されているときの液体の色と、流体収容袋体２７５が破られて流出した液体が空気に触れて変色したその色との違いを視認することで、明確に封印部２７０が解除されたことを判別できる。
【０１６８】
例えば、実施例２の構成に上記変色する液体を採用した場合には、収納穴２６６の第１操作孔２６５ｃに突き刺し針２８０が挿入されて流体収容袋体２７５に突き刺され、流体収容袋体２７５の内部の液体が流出し、その液体が空気に触れて変色して収納穴２６６の内周に付着するので、その収納穴２６６の内周に付着した液体の変色をボックスベース２６５の外部から視認することができ、封印部２７０が解除されたことをさらに判別し易くできる。つまり、流体収容袋体２７５に密閉収容されているときの液体の色と、流体収容袋対が破られて流出した液体が空気に触れて変色したその色との違いを視認することで、明確に封印部２７０が解除されたことを判別できる。
【０１６９】
（４）上述した各実施例では、流体収容袋体２７５は有色液体を密閉収容しているが、空気に触れると固化する液体を採用してもよい。
【０１７０】
空気に触れると固化する液体としては、例えば、リノキシンニスとアルコールと染料との混合液などが挙げられる。
【０１７１】
例えば、実施例１の構成に上記固化する液体を採用した場合には、収納穴２６６および中空箱体２７３の連設する第１操作孔２６５ｃ，第２操作孔２７３ａに突き刺し針２８０が挿入されて流体収容袋体２７５に突き刺され、流体収容袋体２７５の内部の液体が流出し、その液体が空気に触れて中空箱体２７３の内周などで固化するので、その中空箱体２７３の内周などでの固化物をボックスベース２６５の外部から視認することができ、封印部２７０が解除されたことをさらに判別し易くできる。
【０１７２】
例えば、実施例２の構成に上記固化する液体を採用した場合には、収納穴２６６の第１操作孔２６５ｃに突き刺し針２８０が挿入されて流体収容袋体２７５に突き刺され、流体収容袋体２７５の内部の液体が流出し、その液体が空気に触れて収納穴２６６の内周などで固化するので、その収納穴２６６の内周などでの固化物をボックスベース２６５の外部から視認することができ、封印部２７０が解除されたことをさらに判別し易くできる。
【０１７３】
（５）上述した各実施例では、流体収容袋体２７５は有色液体を密閉収容しているが、以下のような構造で図１４に示す流体収容袋体２７５を採用してもよい。
【０１７４】
例えば、この変形例での流体収容袋体２７５（流体収容部材）は、図１４に示すように、流体としての第１流体を密閉収容する第１袋体２７５ａと、流体としての、第１流体とは種類の異なる第２流体を密閉収容しつつ、第１袋体２７５ａを収容する第２袋体２７５ｂと、を備え、第１流体と第２流体とを分離して密閉収容するものであり、第１袋体２７５ａが破られて流出した第１流体と、第２袋体２７５ｂも破られて流出した第２流体とが化学反応することで、有色化あるいは変色した第３流体が生成されるものが挙げられる。つまり、第１袋体２７５ａと第２袋体２７５ｂとからなる二重袋体を採用する。
【０１７５】
第１流体としては、例えば、過酸化水素水（活性化剤）と触媒との混合液など、第２流体としては、例えば、活性シュウ酸エステルと蛍光物質（例えばルミノール）との混合液など、第３流体としては、例えば、ジオキセタンジオンとルミノールとの混合液など、が挙げられる。例えば、第１流体としての過酸化水素水（活性化剤）と触媒との混合液と、第２流体としての活性シュウ酸エステルと蛍光物質（例えばルミノール）との混合液との化学変化によって、第３流体としてのジオキセタンジオンとルミノールとの混合液が生成される。
【０１７６】
例えば、実施例１の封印ユニット２７１に上記二重袋体を採用した場合には、収納穴２６６および中空箱体２７３の連設する第１操作孔２６５ｃ，第２操作孔２７３ａに突き刺し針２８０が挿入されて流体収容袋体２７５の第１袋体２７５ａおよび第２袋体２７５ｂに突き刺され、流体収容袋体２７５の内部の第１流体および第２流体が流出し、それらの流体が化学反応して有色化あるいは変色した第３流体が中空箱体２７３の内周などに付着するので、その中空箱体２７３の内周などに付着した第３流体をボックスベース２６５の外部から視認することができ、封印部２７０が解除されたことをさらに判別し易くできる。つまり、流体収容袋体２７５の第１袋体２７５ａおよび第２袋体２７５ｂに密閉収容されているときの第１流体および第２流体の色と、流体収容袋体２７５の第１袋体２７５ａおよび第２袋体２７５ｂが破られて流出した第１流体および第２流体の化学反応後の第３流体の有色化あるいは変色との違いを視認することで、明確に封印部２７０が解除されたことを判別できる。
【０１７７】
例えば、実施例２の収納穴２６６内の流体収容袋体２７５として上記二重袋体を採用した場合には、収納穴２６６の第１操作孔２６５ｃに突き刺し針２８０が挿入されて流体収容袋体２７５の第１袋体２７５ａおよび第２袋体２７５ｂに突き刺され、流体収容袋体２７５の内部の第１流体および第２流体が流出し、それらの流体が化学反応して有色化あるいは変色した第３流体が収納穴２６６の内周などに付着するので、その収納穴２６６の内周などに付着した第３流体をボックスベース２６５の外部から視認することができ、封印部２７０が解除されたことをさらに判別し易くできる。つまり、流体収容袋体２７５の第１袋体２７５ａおよび第２袋体２７５ｂに密閉収容されているときの第１流体および第２流体の色と、流体収容袋体２７５の第１袋体２７５ａおよび第２袋体２７５ｂが破られて流出した第１流体および第２流体の化学反応後の第３流体の有色化あるいは変色との違いを視認することで、明確に封印部２７０が解除されたことを判別できる。
【０１７８】
（６）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１７９】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０１８０】
以上のように、この発明は、パチンコ機やスロットマシン等の遊技機に適している。
【図面の簡単な説明】
【０１８１】
【図１】本発明の実施例のパチンコ機の概略正面図である。
【図２】遊技盤の構成を示す正面図である。
【図３】パチンコ機の構成を示す背面図である。
【図４】パチンコ機の電気的構成を示すブロック図である。
【図５】第３図柄表示装置の表示内容を示す説明図である。
【図６】実施例１での基板ボックスの閉じた状態の平面図である。
【図７】実施例１での基板ボックスの閉じる途中の状態を示す平面図である。
【図８】基板ボックスの封印部の箇所を示す部分斜視図である。
【図９】封印ユニットを基板ボックスの収納穴に挿入することを示す図である。
【図１０】（ａ）は封印ユニットの係止爪が突出した状態の断面図、（ｂ）は封印ユニットの係止爪が押下された状態の断面図である。
【図１１】（ａ）〜（ｃ）は、基板ボックスを封印する過程を示す図である。
【図１２】（ａ）は、封印ユニットの流体収容袋体を破る様子を示す一部断面図であり、（ｂ）は、流体収容袋体から流出した有色液体が基板ボックスに付着している様子を示す一部断面図である。
【図１３】（ａ）は、実施例２の封印部の流体収容袋体を破る様子を示す一部断面図であり、（ｂ）は、実施例２の流体収容袋体から流出した有色液体が基板ボックスに付着している様子を示す一部断面図である。
【図１４】変形例の流体収容袋体を示す断面図である。
【符号の説明】
【０１８２】
２６１ａ…主制御基板（制御基板）
２６３  …基盤ボックス（収容ケース）
２６５  …ボックスベース（第１ケース体）
２６５ａ…第１操作孔（貫通孔）
２６７  …ボックスカバー（第２ケース体）
２６６  …収納穴（収納穴部）
２７０  …封印部（封止手段）
２７１  …封印ユニット（封止ユニット）
２７３  …中空箱体（挿入部材）
２７３ａ…第２操作孔（貫通孔）
２７５  …流体収容袋体（流体収容部材）
２７７  …係止爪（係止部）
２８０  …突き刺し針（突き刺し部材）
【図１】
0005076398.tif 000002
【図２】
0005076398.tif 000003
【図３】
0005076398.tif 000004
【図４】
0005076398.tif 000005
【図５】
0005076398.tif 000006
【図６】
0005076398.tif 000007
【図７】
0005076398.tif 000008
【図８】
0005076398.tif 000009
【図９】
0005076398.tif 000010
【図１０】
0005076398.tif 000011
【図１１】
0005076398.tif 000012
【図１２】
0005076398.tif 000013
【図１３】
0005076398.tif 000014
【図１４】
0005076398.tif 000015